【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
静電潜像担持体と、
前記静電潜像担持体の表面を帯電する帯電手段と、
帯電された前記静電潜像担持体の表面を選択的に照射して静電潜像を形成する露光手段と、
前記静電潜像を現像剤によって現像する現像手段と、
前記静電潜像担持体に保持された現像剤像を記録媒体に転写する転写手段と、
前記静電潜像担持体表面に除電光を照射する除電装置と、
前記除電光の照射を制御する除電制御部と、
印刷動作を制御する画像形成制御部と
を備え、
前記除電制御部は、印刷する記録媒体の、主走査方向の幅及び抵抗値に応じて、主走査方向における照射領域を変更することを特徴とする画像形成装置。
【請求項２】
前記照射領域は、第１の照射領域と第２の照射領域からなり、
前記第１の照射領域のみを照射する第１の照射状態と、前記第１の照射領域と前記第２の照射領域とを照射する第２の照射状態とを取り得ることを特徴とする請求項１記載の画像形成装置。
【請求項３】
前記第１の照射領域が、主走査方向における媒体通過領域内に相当し、前記第２の照射領域が、主走査方向における媒体通過領域外に相当することを特徴とする請求項２記載の画像形成装置。
【請求項４】
前記第１の照射領域が、主走査方向における画像形成領域に相当し、前記第２の照射領域が、主走査方向における画像形成領域外に相当することを特徴とする請求項２記載の画像形成装置。
【請求項５】
前記除電制御部は、前記記録媒体が高抵抗媒体の場合に、前記第１の照射状態とすることを特徴とする請求項３又は４に記載の画像形成装置。
【請求項６】
前記高抵抗媒体は、フィルム媒体又は耐水紙であることを特徴とする請求項５記載の画像形成装置。
【請求項７】
前記除電制御部は、前記記録媒体の体積抵抗値が所定の抵抗値以上の場合に、前記第１の照射状態とすることを特徴とする請求項３又は４に記載の画像形成装置。
【請求項８】
前記所定の抵抗値は、５.００×１０１３Ω／ｃｍ３であることを特徴とする請求項７記載の画像形成装置。
【請求項９】
前記除電制御部は、主走査方向において、第１の幅を有する第１の記録媒体と前記第１の幅より広い第２の幅を有する第２の記録媒体を印刷する場合、前記第１の記録媒体を印刷する際に前記第１の照射状態とすることを特徴とする請求項７又は８に記載の画像形成装置。
【請求項１０】
前記第２の記録媒体を印刷する際に前記第２の照射状態とすることを特徴とする請求項９に記載の画像形成装置。
【請求項１１】
前記転写手段に所定の転写電圧を印加する転写時に、前記転写手段から前記静電潜像担持体に前記記録媒体を介して流れる転写電流を検出する転写電流検出器を備え、検出され
た前記転写電流に基づいて、該記録媒体が、前記所定の抵抗値以上か否かを判断することを特徴とする請求項５から１０までの何れかに記載の画像形成装置。
【請求項１２】
操作入力部を備えるパネルと、前記パネルを制御するパネル制御部とを備え、
前記所定の抵抗値以上か否かの判断は、前記操作入力部の操作に基づいて前記画像形成制御部が判断することを特徴とする請求項７から１０までの何れかに記載の画像形成装置。
【請求項１３】
前記除電装置は、主走査方向に配列された複数のＬＥＤ素子を備え、前記除電制御部は、前記第１の照射領域を照射するときは、前記第１の照射領域に対応する前記ＬＥＤ素子を発光し、前記第２の照射領域を照射するときは、前記第２の照射領域に対応する前記ＬＥＤ素子を発光することを特徴とする請求項２から１２までの何れかに記載の画像形成装置。
【請求項１４】
前記記録媒体の主走査方向の幅は、前記記録媒体の搬送路に沿って配置された用紙サイズ検出部によって検出されることを特徴とする請求項１から１３までの何れかに記載の画像形成装置。
【請求項１５】
操作入力部を備えるパネルと、前記パネルを制御するパネル制御部とを備え、
前記記録媒体の主走査方向の幅は、前記操作入力部の操作に基づいて前記画像形成制御部が判断することを特徴とする請求項１から１３までの何れかに記載の画像形成装置。
【請求項１６】
静電潜像担持体と、
前記静電潜像担持体の表面を帯電する帯電手段と、
帯電された前記静電潜像担持体の表面を選択的に照射して静電潜像を形成する露光手段と、
前記静電潜像を現像剤によって現像する現像手段と、
前記静電潜像担持体に保持された現像剤像を記録媒体に転写する転写手段と、
前記静電潜像担持体表面に除電光を照射する除電装置と、
前記静電潜像担持体と前記除電装置との間に着脱自在に配置され、装着された際に主走査方向における前記除電光の照射領域を制限する除電光遮光シートと
を備えたことを特徴とする画像形成ユニット。
【請求項１７】
請求項１６の画像形成ユニットと、
前記除電装置による除電光の照射を制御する除電制御部と、
印刷動作を制御する画像形成制御部と、
表示部を備えるパネルと、
前記パネルを制御するパネル制御部と
を備え、
前記パネル制御部は、印刷する記録媒体の、主走査方向の幅及び抵抗値に応じて、前記除電光遮光シートの着脱を支持するメッセージを前記表示部に表示することを特徴とする画像形成装置。
【請求項１８】
前記除電光遮光シートは、装着配置された際に、前記除電装置から照射される除電光のうち、主走査方向における媒体通過領域外に対応する除電光を遮光することを特徴とする請求項１７記載の画像形成装置。
【請求項１９】
前記パネル制御部は、印刷する記録媒体が、所定の抵抗値以上の体積抵抗値であり、且つ主走査方向において、印刷可能な最大サイズより小さいサイズの記録媒体を印刷する時、前記除電光遮光シートを装着するように促すメッセージを前記表示部に表示することを特徴とする請求項１８記載の画像形成装置。
【請求項２０】
前記所定の抵抗値は、５.００×１０１３Ω／ｃｍ３であることを特徴とする請求項１９記載の画像形成装置。
【請求項２１】
転写方式が直接転写方式であることを特徴とする請求項１７から２０までの何れかに記載の画像形成装置。
【手続補正２】
【補正対象書類名】明細書
【補正対象項目名】０００５
【補正方法】変更
【補正の内容】
【０００５】
本発明による画像形成装置は、
静電潜像担持体と、前記静電潜像担持体の表面を帯電する帯電手段と、帯電された前記静電潜像担持体の表面を選択的に照射して静電潜像を形成する露光手段と、前記静電潜像を現像剤によって現像する現像手段と、前記静電潜像担持体に保持された現像剤像を記録媒体に転写する転写手段と、前記静電潜像担持体表面に除電光を照射する除電装置と、前記除電光の照射を制御する除電制御部と、印刷動作を制御する画像形成制御部とを備え、
前記除電制御部は、印刷する記録媒体の、主走査方向の幅及び抵抗値に応じて、主走査方向における照射領域を変更することを特徴とする。
【手続補正３】
【補正対象書類名】明細書
【補正対象項目名】０００６
【補正方法】変更
【補正の内容】
【０００６】
本発明による画像形成ユニットは、
静電潜像担持体と、前記静電潜像担持体の表面を帯電する帯電手段と、帯電された前記静電潜像担持体の表面を選択的に照射して静電潜像を形成する露光手段と、前記静電潜像を現像剤によって現像する現像手段と、前記静電潜像担持体に保持された現像剤像を記録媒体に転写する転写手段と、前記静電潜像担持体表面に除電光を照射する除電装置と、前記静電潜像担持体と前記除電装置との間に着脱自在に配置され、装着された際に主走査方向における前記除電光の照射領域を制限する除電光遮光シートとを備えたことを特徴とする。